(57)【要約】【課題】同期して再生される複数種類の情報を編集する情報処理装置及び情報編集プログラムを提供する。【解決手段】情報処理装置１は、同期して再生される画像情報１１３、音声情報１１４及びポインタ情報１１５の組み合わせを複数含むプレゼンテーション情報１１２を一覧表示する情報一覧表示手段１０１と、情報一覧表示手段１０１が一覧表示するプレゼンテーション情報１１２に含まれる画像情報１１３、音声情報１１４及びポインタ情報１１５から情報を選択する情報選択手段１０２と、情報選択手段１０２が選択した情報の組み合わせを新規プレゼンテーション情報１１７として書き出す新規情報書き出し手段１０４とを有する。【選択図】図１
2014216778.tif 000002
【特許請求の範囲】
【請求項１】
同期して再生される複数種類の情報の組み合わせを複数含む第１の情報を一覧表示する表示手段と、
前記表示手段が一覧表示する前記第１の情報に含まれる前記複数種類の情報の組み合わせから新たな情報の組み合わせを選択する選択手段と、
前記選択手段が選択した情報の組み合わせを、同期して再生される第２の情報として書き出す書き出し手段とを有する情報処理装置。
【請求項２】
前記第１の情報は、前記複数種類の情報として少なくとも画像情報、当該画像情報に同期再生される音声情報及び当該画像情報に同期再生されて当該画像情報上の位置を指示する指示情報とを有する請求項１に記載の情報処理装置。
【請求項３】
前記書き出し手段は、前記選択手段が選択した情報の組み合わせを複数結合して同期して再生される第２の情報として書き出す請求項１又は２に記載の情報処理装置。
【請求項４】
前記選択手段によって選択された情報の組み合わせのうち、いずれかの情報の再生時刻を部分的又は全体的に変更して編集する編集手段をさらに有する請求項１−３のいずれか１項に記載の情報処理装置。
【請求項５】
前記選択手段によって選択された情報の組み合わせのうち、前記指示情報の指示する位置を部分的又は全体的に変更して編集する編集手段をさらに有する請求項２に記載の情報処理装置。
【請求項６】
コンピュータを、
同期して再生される複数種類の情報の組み合わせを複数含む第１の情報を一覧表示する表示手段と、
前記表示手段が一覧表示する前記第１の情報に含まれる前記複数種類の情報の組み合わせから新たな情報の組み合わせを選択する選択手段と、
前記選択手段が選択した情報の組み合わせを、同期して再生される第２の情報として書き出す書き出し手段として機能させるための情報編集プログラム。
【請求項７】
再生される画像情報、当該画像情報に同期再生される音声情報及び当該画像情報に同期再生されて当該画像情報上の位置を指示する指示情報を複数含む第１の情報を一覧表示する表示手段と、
前記表示手段が一覧表示する前記第１の情報に含まれる前記画像情報、前記音声情報及び前記指示情報から、画像情報及び指示情報又は音声情報及び指示情報を少なくとも選択する選択手段と、
前記選択手段が選択した画像情報及び指示情報又は音声情報及び指示情報の組み合わせを同期して再生される第２の情報として書き出す書き出し手段とを有する情報処理装置。
【発明の詳細な説明】
【技術分野】
【０００１】
本発明は、情報処理装置及び情報編集プログラムに関する。
【背景技術】
【０００２】
従来の技術として、再生された動画の内容に同期して静止画上の対応位置を指示して表示する情報処理装置が提案されている（例えば、特許文献１参照）。
【０００３】
特許文献１に開示された情報処理装置は、表示部に表示する画像中に、プレゼンテーション用の文書を指し示す講師の動画を表示する領域と、動画に表示された文書と同じ内容の文書を拡大した静止画を表示する領域とを有し、動画中の講師が文書の指し示す箇所を検出し、指し示す箇所に対応する静止画中の箇所にカーソルポインタを表示して、利用者に表示する。ここで、「プレゼンテーション」とは、文書を表示して、当該文書の箇所を指し示したり、当該文書の内容について話したりして説明する行為のことをいう。これらの動画、静止画及びカーソルポインタは同一の再生時間帯において同期して再生される。
【先行技術文献】
【特許文献】
【０００４】
【特許文献１】特開２００１−２０９３６１号公報
【発明の概要】
【発明が解決しようとする課題】
【０００５】
本発明の目的は、同期して再生される複数種類の情報を編集する情報処理装置及び情報編集プログラムを提供することにある。
【課題を解決するための手段】
【０００６】
本発明の一態様は、上記目的を達成するため、以下の情報処理装置及び情報編集プログラムを提供する。
【０００７】
［１］同期して再生される複数種類の情報の組み合わせを複数含む第１の情報を一覧表示する表示手段と、
前記表示手段が一覧表示する前記第１の情報に含まれる前記複数種類の情報の組み合わせから新たな情報の組み合わせを選択する選択手段と、
前記選択手段が選択した情報の組み合わせを、同期して再生される第２の情報として書き出す書き出し手段とを有する情報処理装置。
【０００８】
［２］前記第１の情報は、前記複数種類の情報として少なくとも画像情報、当該画像情報に同期再生される音声情報及び当該画像情報に同期再生されて当該画像情報上の位置を指示する指示情報とを有する前記［１］に記載の情報処理装置。
【０００９】
［３］前記書き出し手段は、前記選択手段が選択した情報の組み合わせを複数結合して同期して再生される第２の情報として書き出す前記［１］又は［２］に記載の情報処理装置。
【００１０】
［４］前記選択手段によって選択された情報の組み合わせのうち、いずれかの情報の再生時刻を部分的又は全体的に変更して編集する編集手段をさらに有する前記［１］−［３］のいずれかに記載の情報処理装置。
【００１１】
［５］前記選択手段によって選択された情報の組み合わせのうち、前記指示情報の指示する位置を部分的又は全体的に変更して編集する編集手段をさらに有する前記［２］に記載の情報処理装置。
【００１２】
［６］コンピュータを、
同期して再生される複数種類の情報の組み合わせを複数含む第１の情報を一覧表示する表示手段と、
前記表示手段が一覧表示する前記第１の情報に含まれる前記複数種類の情報の組み合わせから新たな情報の組み合わせを選択する選択手段と、
前記選択手段が選択した情報の組み合わせを、同期して再生される第２の情報として書き出す書き出し手段として機能させるための情報編集プログラム。
【００１３】
［７］再生される画像情報、当該画像情報に同期再生される音声情報及び当該画像情報に同期再生されて当該画像情報上の位置を指示する指示情報を複数含む第１の情報を一覧表示する表示手段と、
前記表示手段が一覧表示する前記第１の情報に含まれる前記画像情報、前記音声情報及び前記指示情報から、画像情報及び指示情報又は音声情報及び指示情報を少なくとも選択する選択手段と、
前記選択手段が選択した画像情報及び指示情報又は音声情報及び指示情報の組み合わせを同期して再生される第２の情報として書き出す書き出し手段とを有する情報処理装置。
【発明の効果】
【００１４】
請求項１、６又は７に係る発明によれば、同期して再生される複数種類の情報を編集することができる。
【００１５】
請求項２に係る発明によれば、同期して再生される少なくとも画像情報、音声情報及び指示情報を編集することができる。
【００１６】
請求項３に係る発明によれば、同期して再生される複数種類の情報を、複数編集することができる。
【００１７】
請求項４に係る発明によれば、同期して再生される複数種類の情報を、いずれかの情報の再生時刻を部分的又は全体的に変更して編集することができる。
【００１８】
請求項５に係る発明によれば、同期して再生される、少なくとも画像情報、音声情報及び指示情報について、指示情報の指示する位置を部分的又は全体的に変更して編集することができる。
【図面の簡単な説明】
【００１９】
【図１】図１は、情報処理装置の構成例を示すブロック図である。
【図２】図２（ａ）−（ｃ）は、プレゼンテーション情報の構成の一例を示す概略図である。
【図３】図３（ａ１）、（ａ２）、（ｂ１）及び（ｂ２）は、プレゼンテーション情報及び再生リスト情報の構成の一例を示す概略図である。
【図４】図４は、情報処理装置の選択動作の一例を説明するための概略図である。
【図５】図５は、情報処理装置の選択動作の他の例を説明するための概略図である。
【図６】図６は、情報処理装置の選択動作の他の例を説明するための概略図である。
【図７】図７は、情報処理装置の選択動作の他の例を説明するための概略図である。
【図８】図８は、情報処理装置の選択動作の他の例を説明するための概略図である。
【図９】図９（ａ）−（ｃ）は、情報処理装置の書き出し動作の一例を説明するための概略図である。
【図１０】図１０（ａ）−（ｃ）は、情報処理装置のポインタ情報の選択動作の一例を説明するための概略図である。
【図１１】図１１（ａ）−（ｃ）は、情報処理装置の編集動作の一例を説明するための概略図である。
【図１２】図１２（ａ１）−（ａ３）、（ｂ１）、（ｂ２）は、情報処理装置の編集動作の他の例を説明するための概略図である。
【発明を実施するための形態】
【００２０】
［実施の形態］
（情報処理装置の構成）
図１は、情報処理装置１の構成例を示すブロック図である。
【００２１】
情報処理装置１は、プレゼンテーションの内容をプレゼンテーション情報１１２として記録し、再生し、編集するものであって、ＣＰＵ等から構成され、各部を制御するとともに、各種のプログラムを実行する制御部１０と、フラッシュメモリ等の記憶媒体から構成され情報を記憶する記憶部１１と、文字や画像等を表示する表示部１２と、プレゼンテーション情報１１２の音声を再生する音声再生部１３と、プレゼンテーション情報１１２の音声を記録する音声記録部１４と、情報処理装置１を操作するための操作部１５と、ネットワークを介して外部と通信する通信部１６とを備える。なお、プレゼンテーション情報１１２の記録及び再生は、外部の装置で行うものであってもよい。
【００２２】
制御部１０は、後述するプレゼンテーション情報記録プログラム１１０を実行することで、プレゼンテーション情報記録手段１００として機能し、後述するプレゼンテーション情報編集プログラム１１１を実行することで、情報一覧表示手段１０１、情報選択手段１０２、情報編集手段１０３及び新規情報書き出し手段１０４等として機能する。
【００２３】
プレゼンテーション情報記録手段１００は、第１の情報として、プレゼンテーション情報１１２を記録する。プレゼンテーション情報１１２は、複数種類の情報を含み、当該複数種類の情報として複数のページを有する文書情報の各ページを経時的に表示する画像情報１１３と、当該画像情報１１３と同期されて録音される各ページを説明する音声情報１１４と、当該画像情報１１３と同期されて記録される各ページをカーソルポインタ等で指示する指示情報としてのポインタ情報１１５とを有するものである。文書情報の各ページを表示するタイミングと、ポインタ情報１１５中のカーソルポインタの位置は、プレゼンテーションをする利用者の操作部１５に対する操作内容に応じて決定され、音声情報１１４は音声記録部１４によって記録される。また、文書情報の各ページを表示するタイミングは、操作部１５に対する操作によって定められるものであってもよいし、予め定めたタイミングによって自動でページ送りされるものであってもよい。なお、ここで「文書情報」とは、例えば、プレゼンテーションソフトにより作成された文字や画像等からなる情報であって、複数のページとして複数のスライドを有するものが挙げられる。
【００２４】
また、プレゼンテーション情報記録手段１００は、同一の再生時間帯において再生される画像情報１１３、音声情報１１４及びポインタ情報１１５の再生順序を示す情報である再生リスト情報１１６を生成する。各情報については、図２、図３及びその説明において詳しく述べる。
【００２５】
情報一覧表示手段１０１は、複数のプレゼンテーション情報１１２を当該プレゼンテーション情報１１２に対応する画像情報１１３、音声情報１１４及びポインタ情報１１５を用いて視覚的に一覧表示する。表示方法については、図３−図１１及びその説明において詳しく述べる。
【００２６】
情報選択手段１０２は、操作部１５に対する操作内容に応じて、情報一覧表示手段１０１が表示した複数の画像情報１１３、音声情報１１４及びポインタ情報１１５から、後述する新規プレゼンテーション情報１１７に含める情報を選択する。
【００２７】
情報編集手段１０３は、情報選択手段１０２が選択した情報を編集する。編集の内容については、図１１及び図１２及びその説明において詳しく述べる。
【００２８】
新規情報書き出し手段１０４は、情報選択手段１０２が選択した情報から、第２の情報として、新規プレゼンテーション情報１１７を書き出す。
【００２９】
記憶部１１は、制御部１０を上述した手段１００として動作させるプレゼンテーション情報記録プログラム１１０、制御部１０を上述した各手段１０１−１０４として動作させるプレゼンテーション情報編集プログラム１１１、プレゼンテーション情報１１２、サムネイル情報１１３、音声情報１１４、ポインタ情報１１５、再生リスト情報１１６及び新規プレゼンテーション情報１１７等を記憶する。
【００３０】
図２（ａ）−（ｃ）は、プレゼンテーション情報１１２の構成の一例を示す概略図である。
【００３１】
プレゼンテーション情報１１２が再生されると、画像情報１１３については文書の各ページが経時的にフレーム１１２ａ１−１１２ａ６…として表示され、音声情報１１４については当該画像情報１１３と同期されて録音された各ページを説明する音声１１２ｂ１、１１２ｂ４、１１２ｂ５…が再生され、ポインタ情報１１５については当画像情報１１３と同期されて記録された各ページをカーソルポインタ等で指示するフレーム１１２ｃ１−１１２ｃ６…が表示される。なお、フレーム１１２ｃ１−１１２ｃ６は、カーソルポインタ以外の領域は透明であって、それぞれのフレームはフレーム１１２ａ１−１１２ａ６…に重畳して表示されるものである。
【００３２】
また、画像情報１１３のフレームのうち文書のページが切り替わったタイミングのフレーム１１２ａ１、１１２ａ４、１１２ａ５…は、情報一覧表示手段１０１によって次に示す図３のようにサムネイルとして表示される。
【００３３】
また、プレゼンテーション情報記録手段１００は、画像情報１１３のフレーム１１２ａ１、１１２ａ４、１１２ａ５…の時刻において音声情報１１２ｂ１、１１２ｂ４、１１２ｂ５…を分割する。分割された情報は、情報一覧表示手段１０１によって次に示す図３のように音声バー１１４１１-１１４１5・・・として表示される。また、ポインタ情報１１２ａ１−１１２ａ６…も分割される（図１０において後述する）。
【００３４】
図３（ａ１）、（ａ２）、（ｂ１）及び（ｂ２）は、プレゼンテーション情報１１２及び再生リスト情報１１６の構成の一例を示す概略図である。
【００３５】
図３（ａ１）は、プレゼンテーション情報１１２を識別するためのタイトル識別子が「０１」である画像情報１１３に該当するサムネイル情報１１３１１−１１３１５及び音声情報に該当する音声バー１１４１１−１１４１５を示したものであり、サムネイル情報１１３１１−１１３１５及び音声バー１１４１１−１１４１５は同一の再生時間帯に属するため、対応付けて表示される。
【００３６】
なお、以下において、プレゼンテーション情報１１２が複数ある場合、個別のプレゼンテーション情報のことを「タイトル」という。また、タイトルに含まれる画像情報１１３、音声情報１１４及びポインタ情報１１５のことをそれぞれ「アイテム」という。
【００３７】
図３（ａ１）に示すサムネイル情報１１３１１−１１３１５及び音声バー１１４１１−１１４１５の対応付けは、図３（ａ２）に示す再生リスト１１６１によって定義されている。
【００３８】
再生リスト１１６１は「＜ｌｉｓｔ＞」及び「＜／ｌｉｓｔ＞」の間において記述され「＜ｃｉｄ＞」及び「＜／ｃｉｄ＞」の間に定義されるタイトル識別子「０１」と、「＜ｉｔｅｍｓ＞」及び「＜／ｉｔｅｍｓ＞」の間に定義される再生リストに含まれるアイテム（画像情報１１３、音声情報１１４、ポインタ情報１１５）とを有する。また、アイテムの具体的内容は、画像情報１１３のファイル名を示す「ｐｉｃ」と、音声情報１１４のファイル名を示す「ｓｏｕｎｄ」とで記述される。なお、図３に示す例においてポインタ情報は示されていないが、図１０及びその説明においてポインタ情報を追加する場合について述べる。
【００３９】
つまり、ファイル名が「００１．ｊｐｇ」である画像情報１１３のサムネイル情報１１３１１とファイル名が「００１．ｍｐ３」である音声情報１１４の音声バー１１４１１とが、ファイル名が「００２．ｊｐｇ」である画像情報のサムネイル情報１１３１２とファイル名が「００２．ｍｐ３」である音声情報の音声バー１１４１２とが、ファイル名が「００３．ｊｐｇ」である画像情報のサムネイル情報１１３１３とファイル名が「００３．ｍｐ３」である音声情報の音声バー１１４１３とが、ファイル名が「００４．ｊｐｇ」である画像情報のサムネイル情報１１３１４とファイル名が「００４．ｍｐ３」である音声情報の音声バー１１４１４とが、ファイル名が「００５．ｊｐｇ」である画像情報のサムネイル情報１１３１５とファイル名が「００５．ｍｐ３」である音声情報の音声バー１１４１５とが、それぞれ組み合わせられており、上記のように記載した順序で再生するように、再生リスト１１６１は記述されている。
【００４０】
また、図３（ｂ１）は、プレゼンテーション情報１１２を識別するためのタイトル識別子が「０２」である画像情報１１３のサムネイル情報１１３２１−１１３２５及び音声情報１１４の音声バー１１４２１−１１４２５を示したものであり、同一の時間帯に属するサムネイル情報１１３２１−１１３２５及び音声バー１１４２１−１１４２５は対応付けて表示される。
【００４１】
図３（ｂ１）に示すサムネイル情報１１３２１−１１３２５及び音声バー１１４２１−１１４２５の対応付けは、図３（ｂ２）に示す再生リスト１１６２によって定義されている。再生リスト１１６２の具体的内容については、再生リスト１１６１と同様である。
【００４２】
（情報処理装置の動作）
次に、本実施の形態の作用を各図を参照しつつ、（１）基本動作、（２）選択動作、（３）書き出し動作、（４）編集動作に分けて説明する。
【００４３】
（１）基本動作
まず、利用者はプレゼンテーションの内容を記録するために情報処理装置１の操作部１５を操作する。
【００４４】
まず、情報処理装置１のプレゼンテーション情報記録手段１００は、プレゼンテーションの記録を開始する。
【００４５】
次に、情報処理装置１は、図示しないプレゼンテーション用のアプリケーションを動作させて文書情報の内容を表示部１２に表示し、操作部１５に対する操作内容に応じてページを切り替え等する。
【００４６】
利用者は表示部１２に表示された文書情報の内容について、口頭で説明するとともに、操作部１５を操作することで表示された文書情報の説明に該当する箇所をカーソルポインタで指示する。
【００４７】
情報処理装置１のプレゼンテーション情報記録手段１００は、アプリケーションが表示する画像が切り替わったタイミングで記録し、画像情報１１３を生成する。また、プレゼンテーション情報記録手段１００は、利用者が口頭で説明する音声を音声記録部１４を介して記録し、音声情報１１４を生成する。また、プレゼンテーション情報記録手段１００は、カーソルポインタの画像を予め定めたフレームレートで記録し、ポインタ情報１１５を生成する。
【００４８】
次に、プレゼンテーション情報記録手段１００は、画像情報１１３と、音声情報１１４と、ポインタ情報１１５とを含む情報をプレゼンテーション情報１１２として記録する。
【００４９】
また、プレゼンテーション情報記録手段１００は、画像情報１１３、音声情報１１４及びポインタ情報１１５の再生順序を示す情報である再生リスト情報１１６を生成する。
【００５０】
（２）選択動作
次に、利用者は、記録されたプレゼンテーション情報１１２を元に、一部の再生時間帯のプレゼンテーション情報を抜き出したり、複数のタイトルの画像情報１１３、音声情報１１４及びポインタ情報１１５を自由に組み合わせたりして、新たな情報として新規プレゼンテーション情報１１７を生成する。
【００５１】
まず、プレゼンテーション情報１１２から、新規プレゼンテーション情報１１７の元とする複数のタイトルを選択する動作について説明する。
【００５２】
利用者は、操作部１５を操作して複数のタイトルの候補を表示するよう要求する。
【００５３】
情報処理装置１の情報一覧表示手段１０１は、利用者の要求に応じて一覧表示画像を表示する。
【００５４】
図４は、情報処理装置の選択動作の一例を説明するための概略図である。
【００５５】
一覧表示画像１０１ａは、選択の候補となる複数のタイトルを表示するタイトルリスト１０１ａ１と、タイトルリスト１０１ａ１において選択されたタイトルに含まれるアイテムを表示するアイテムリスト１０１ａ２と、アイテムリスト１０１ａ２において新規タイトルに用いるアイテムとして選択されたアイテムを表示する新規タイトル用アイテムリスト１０１ａ３とを有する。
【００５６】
情報一覧表示手段１０１は、まず、図４に示すように、タイトルリスト１０１ａ１に、プレゼンテーション情報１１２の複数のタイトル１１２１、１１２２…を表示する。
【００５７】
次に、利用者は、例えば、タイトルリスト１０１ａ１から複数のタイトル１１２１、１１２４、１１２６を選択するよう操作部１５を操作する。
【００５８】
情報選択手段１０２は、操作部１５に対する操作内容に応じてタイトル１１２１、１１２４、１１２６を選択する。
【００５９】
図５は、情報処理装置の選択動作の他の例を説明するための概略図である。
【００６０】
情報一覧表示手段１０１は、図５に示すように、タイトルリスト１０１ａ１において選択されたタイトル１１２１、１１２４、１１２６に含まれるアイテム１１２１１、１１２１２…、１１２４１、１１２４２…、１１２６１、１１２６２…をアイテムリスト１０１ａ２に表示する。
【００６１】
図６は、情報処理装置の選択動作の他の例を説明するための概略図である。
【００６２】
タイトルリスト１０１ａ１に表示されたアイテム１１２１１は、アイテム１１２１１全体を選択するためのプレート１１２ｐ１１と、アイテム１１２１１の画像情報１１３のみを選択するためのサムネイル１１３１１と、アイテム１１２１１の音声情報１１４のみを選択するための音声バー１１４１１とを有する。この構成は、他のアイテム１１２１２、１１２１３…、１１２４１、１１２４２…、１１２６１、１１２６２…についても同様であるため説明を省略する。
【００６３】
次に、利用者は、例えば、アイテムリスト１０１ａ２から複数のアイテム１１２１１、１１２４２、１１２６３を選択するためにプレート１１２ｐ１１、１１２ｐ４２、１１２ｐ６３を選択するよう操作部１５を操作する。
【００６４】
情報選択手段１０２は、操作部１５に対する操作内容に応じてアイテム１１２１１、１１２４２、１１２６３を選択する。
【００６５】
図７は、情報処理装置の選択動作の他の例を説明するための概略図である。
【００６６】
情報一覧表示手段１０１は、図７に示すように、アイテムリスト１０１ａ２において選択されたアイテム１１２１１、１１２４２、１１２６３を新規タイトル用アイテムリスト１０１ａ３に表示する。
【００６７】
また、他の例として、利用者は、アイテムリスト１０１ａ２から複数のアイテム１１２１１のサムネイル情報、アイテム１１２４２の音声情報を選択するためにサムネイル１１３１１、音声バー１１４４２を選択するよう操作部１５を操作する。
【００６８】
情報選択手段１０２は、操作部１５に対する操作内容に応じてサムネイル１１３１１、音声バー１１４４２を選択する。
【００６９】
図８は、情報処理装置の選択動作の他の例を説明するための概略図である。
【００７０】
情報一覧表示手段１０１は、図８に示すように、アイテムリスト１０１ａ２において選択されたサムネイル１１３１１、音声バー１１４４２を新規タイトル用アイテムリスト１０１ａ３に表示する。
【００７１】
なお、サムネイル１１３１１に該当する画像情報１１３と組み合わせられる音声情報１１４が選択されていない場合は、図８に示すように、録音されていない状態の音声バー１１４００を表示する。音声バー１１４００は、新規の録音又は他の音声バーの選択を受け付けるものである。なお、録音されていない状態の音声バー１１４００の例として、予め定めた時間（例えば、３分間）だけ無音の音声が再生される音声バーを表示してもよい。また、音声バー１１４４２に該当する音声情報１１４と組み合わせられる画像情報１１３が選択されていない場合は、画像が関連づけられていない状態のサムネイル１１３００を表示する。サムネイル１１３００は、新規の文書情報のページの挿入又は他の画像情報１１３の選択を受け付けるものである。なお、サムネイル１１３００の例として、「Ｎｏ  Ｉｍａｇｅ  Ｙｅｔ」と表示された画像を表示する。
【００７２】
上記した図７及び図８で説明したように、アイテムリスト１０１ａ２においてアイテムが選択されると、新規タイトル用アイテムリスト１０１ａ３に当該選択されたアイテムが表示される。
【００７３】
次に、利用者は新規タイトル用アイテムリスト１０１ａ３に表示されたアイテムで新規タイトルの書き出しを所望する場合、以下に説明する「（３）書き出し動作」によって新規プレゼンテーション情報１１７のタイトルを書き出す。
【００７４】
（３）書き出し動作
利用者は、操作部１５を操作して一覧表示画像１０１ａの保存ボタン１０１ａ４を操作して、新規タイトルの書き出しを要求する。
【００７５】
新規情報書き出し手段１０４は、新規タイトルの書き出しの要求を受け付けて、新規タイトル用アイテムリスト１０１ａ３に表示されたアイテムで新規タイトルを書き出し、新規プレゼンテーション情報１１７に保存する。
【００７６】
図９（ａ）−（ｃ）は、情報処理装置の書き出し動作の一例を説明するための概略図である。
【００７７】
図９（ａ）に示すように、新規タイトル用アイテムリスト１０１ａ３にアイテム１１２１２、１１２２１、サムネイル１１３１１と音声バー１１４２２の組み合わせのアイテムが表示されている場合であって、新規タイトルを書き出して新規プレゼンテーション情報１１７として保存するための保存ボタン１０１ａ４が操作されていない場合、図９（ｂ）に示すように、一時的な再生リスト１１６３ｔｅｍｐに含まれるアイテムとして、元のアイテムの識別子「０１／００２．ｊｐｇ」、「０２／００１．ｊｐｇ」、「０１／００１．ｊｐｇ」、「０１／００２．ｍｐ３」、「０２／００１．ｍｐ３」、「０２／００２．ｍｐ３」が記載される。
【００７８】
次に、保存ボタン１０１ａ４が操作された場合、図９（ｃ）に示すように、保存された新規プレゼンテーション情報１１７のタイトルの再生リスト１１６３に含まれるアイテムとして、新たなアイテムの識別子「００１．ｊｐｇ」、「００２．ｊｐｇ」、「００３．ｊｐｇ」、「００１．ｍｐ３」、「００２．ｍｐ３」、「００３．ｍｐ３」が記載される。
【００７９】
また、以上においてアイテムとして画像情報１１３、音声情報１１４を扱う場合について説明したが、以下においてポインタ情報１１５を取り扱う場合について説明する。
【００８０】
図１０（ａ）−（ｃ）は、情報処理装置のポインタ情報の選択動作の一例を説明するための概略図である。
【００８１】
図１０（ａ）に示すように、新規タイトル用アイテムリスト１０１ａ３にアイテム１１２４１、１１２４２…が表示されている場合において、利用者はポインタ情報プルダウンメニュー１０１ａ５を操作して、アイテム１１２４１、１１２４２…に対応するポインタ情報１１５をコピーするか否かを選択する。
【００８２】
情報選択手段１０２は、ポインタ情報プルダウンメニュー１０１ａ５において「ポインタ情報をコピーする」が選択された場合、図１０（ｂ）に示すように、再生リスト１１６４のアイテムに「ｍｏｕｓｅ」と記載されるポインタ情報を追加する。
【００８３】
図１０（ｃ）に示すように、例えば、アイテム１１２４１のポインタ情報１１５４１は、「＜ＰＯＩＮＴＥＲ＞」及び「＜／ＰＯＩＮＴＥＲ＞」の間において記述され、「＜ＰＯＩＮＴ＿ＳＥＴ＞」及び「＜／ＰＯＩＮＴ＿ＳＥＴ＞」の間に定義される複数の時刻及び座標点の組み合わせを有する。なお、「ＰＯＩＮＴＥＲ  ｉｎｔｅｒｖａｌ」は、座標点の記録間隔を示す。
【００８４】
以上において、画像情報１１３又は音声情報１１４と同一の再生時間帯のポインタ情報１１５を取り扱う場合について説明したが、ポインタ情報１１５をコピーした後で、画像情報１１３又は音声情報１１４を変更した場合には、これらの情報とポインタ情報１１５との間で不整合が生じる場合がある。このとき利用者は、以下に説明する「（４）編集動作」によってアイテムを編集する。
【００８５】
（４）編集動作
まず、ポインタ情報１１５をコピーした後に画像情報１１３を変更した場合について説明する。
【００８６】
図１１（ａ）−（ｃ）は、情報処理装置の編集動作の一例を説明するための概略図である。
【００８７】
図１１（ａ）に示すようにサムネイル情報１１３６１と、音声バー１１４６１と、ポインタ情報１１５６１との組み合わせであるアイテムを選択した後、図１１（ｂ）に示すように画像情報１１３をサムネイル情報１１３６１からサムネイル情報１１３６１’に更新した場合について説明する。なお、ポインタ情報１１５６１は、予め定められた間隔で記録されたすべての座標に点を表示し、時間的に隣接する点を線で結んで表示される。
【００８８】
この場合、サムネイル情報１１３６１中の「１」の位置が変更されているため、ポインタ情報１１５６１の差し示す位置がサムネイル情報１１３６１’の「１」の位置とずれてしまうため、利用者は操作部１５を操作して、ポインタ情報１１５６１の編集を要求する。
【００８９】
情報編集手段１０３は、要求に応じて。図１１（ｃ）に示すように、ポインタ情報１１５６１の位置を変更するための編集用カーソル１０３ａを表示する。
【００９０】
利用者は、図１１（ｃ）に示すように、編集用カーソル１０３ａでポインタ情報１１５６１の編集したい点を選択し、点を選択した状態のまま移動させたい位置に編集用カーソル１０３ａを移動することでポインタ情報１１５６１を編集する。
【００９１】
情報編集手段１０３は、変更されたポインタ情報１１５６１’に基づいてその記述内容を書き換える。なお、編集用カーソル１０３ａでポインタ情報１１５６１の１つの点を移動させるが、時間的に隣接している点もある程度移動させることにより滑らかな軌跡となる。また、複数の点を選択して移動することで編集してもよい。
【００９２】
次に、ポインタ情報１１５をコピーした後に音声情報１１４を変更した場合について説明する。
【００９３】
図１２（ａ１）−（ａ３）、（ｂ１）、（ｂ２）は、情報処理装置の編集動作の他の例を説明するための概略図である。
【００９４】
図１２（ａ１）に示すようにサムネイル情報１１３６１と、音声バー１１４６１と、ポインタ情報１１５６１との組み合わせであるアイテムを選択した後、図１１（ａ２）に示すように音声バー１１４６１を音声バー１１４６１’に更新した場合について説明する。
【００９５】
図１２（ａ１）の場合は、サムネイル情報１１３６１中の「００６」の位置座標（ｘ１０，ｙ１０）をポインタ情報１１５６１が差し示す時刻が「ｔ１」であり、音声バー１１４６１の「この数字００６が重要です！！」という内容の音声が再生される時刻が「ｔ１」であって、内容が一致しているが、図１２（ａ２）の場合は、音声バー１１４６１’の「この数字００６が重要です！！」という内容の音声が再生される時刻が「ｔ２」であるため、ポインタ情報１１５６１が指し示す時刻「ｔ１」とずれてしまうため、利用者は操作部１５を操作して、ポインタ情報１１５６１の編集を要求する。
【００９６】
情報編集手段１０３は、要求に応じて。図１２（ａ３）に示すように、ポインタ情報１１５６１の指示する時刻を変更するためのポインタ時間調整バー１０３ｂを表示する。
【００９７】
利用者は、図１２（ａ３）に示すように、ポインタ時間調整バー１０３ｂの位置座標（ｘ１０，ｙ１０）に対応する時刻の点を選択し、点を選択した状態のまま移動させたい時刻に移動することでポインタ情報１１５６１を編集する。
【００９８】
情報編集手段１０３は、変更されたポインタ情報１１５６１’に基づいてその記述内容を書き換える。なお、図１２（ｂ１）から図１２（ｂ２）のように、編集用カーソル１０３ａでポインタ情報１１５６１の１つの点の時刻を移動させるが、時間的に隣接している点もある程度移動させることにより滑らかな軌跡となる。また、複数の時刻を選択して移動することで編集してもよい。また、音声バー１１４６１’の内容をポインタ情報１１５６１の内容に沿うように同様に編集するものであってもよい。
【００９９】
［他の実施の形態］
なお、本発明は、上記実施の形態に限定されず、本発明の趣旨を逸脱しない範囲で種々な変形が可能である。例えば、音声情報１１４に代えて、文書情報を解説する動画情報を用いてもよい。例えば、ポインタ情報１１５は、マウスポインタの動きを示す他に、手書き線等のアノテーションを示すものであってもよい。また、ポインタ情報１１５として、時刻と座標以外に、線の色や太さ等を記録してもよい。この記録の追加は、例えば、図１０（ｃ）のポインタ情報１１５４１に、時刻及び座標点に加えて、線の色の場合は「ｃｏｌｏｒ＝ｒｅｄ」、線の太さの場合は「ｔｈｉｋｎｅｓｓ＝３」といった記載を加えることで実現できる。またアノテーションを編集する場合も、通常のポインタ情報と同様に図１１、図１２のように表示して編集することが可能である。
【０１００】
上記実施の形態では制御部１０の各手段１００〜１０４の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【０１０１】
１     情報処理装置
１０   制御部
１１   記憶部
１２   表示部
１３   音声再生部
１４   音声記録部
１５   操作部
１６   通信部
１００ プレゼンテーション情報記録手段
１０１ 情報一覧表示手段
１０１ａ      一覧表示画像
１０１ａ１    タイトルリスト
１０１ａ２    アイテムリスト
１０１ａ３    新規タイトル用アイテムリスト
１０１ａ４    保存ボタン
１０１ａ５    ポインタ情報プルダウンメニュー
１０２ 情報選択手段
１０３ 情報編集手段
１０３ａ      編集用カーソル
１０３ｂ      ポインタ時間調整バー
１０４ 新規情報書き出し手段
１１０ プレゼンテーション情報記録プログラム
１１１ プレゼンテーション情報編集プログラム
１１２ プレゼンテーション情報
１１３ 画像情報
１１４ 音声情報
１１５ ポインタ情報
１１６ 再生リスト情報
１１７ 新規プレゼンテーション情報
【図１】
2014216778.tif 000003
【図２】
2014216778.tif 000004
【図３】
2014216778.tif 000005
【図４】
2014216778.tif 000006
【図５】
2014216778.tif 000007
【図６】
2014216778.tif 000008
【図７】
2014216778.tif 000009
【図８】
2014216778.tif 000010
【図９】
2014216778.tif 000011
【図１０】
2014216778.tif 000012
【図１１】
2014216778.tif 000013
【図１２】
2014216778.tif 000014